(57)【要約】【課題】支持パイプの後端から引き出されたリード線の進退動がなくても、感熱ヘッドの円滑な動きを確保して調理容器の温度を精度良く検出することができるガスコンロ用鍋底温度センサを提供する。【解決手段】環状のコンロバーナ２で囲われるバーナ内方空間Ｓに立設した支持パイプ１９と、支持パイプ１９の先端部に上下動自在に支持された感熱ヘッド２０と、感熱ヘッド２０を上方に付勢する付勢手段２７と、感熱ヘッド２０の内部に取り付けられた感熱素子２５とを備える。感熱素子２５に先端が接続されて後端が支持パイプ１９を通して支持パイプ１９の後端から引き出されたリード線２８は、その一部に、少なくとも感熱ヘッド２０の移動を許容する弛み部３１を備える。支持パイプ１９は、リード線２８の弛み部３１を収容する弛み収容部３２を備える。【選択図】図１
2012154572.tif 000002
【特許請求の範囲】
【請求項１】
環状のコンロバーナで囲われるバーナ内方空間に立設した支持パイプと、該支持パイプの先端部に上下動自在に支持された感熱ヘッドと、該感熱ヘッドを上方に付勢する付勢手段と、前記感熱ヘッドの内部に取り付けられた感熱素子と、該感熱素子に先端が接続されて後端が前記支持パイプを通して該支持パイプの後端から引き出されるリード線とを備え、前記コンロバーナで加熱される調理容器の底面に前記感熱ヘッドを当接させて、調理容器の温度を検出する鍋底温度センサにおいて、
前記リード線は、その一部に、少なくとも前記感熱ヘッドの移動を許容する弛み部を備え、
前記支持パイプは、前記リード線の弛み部を収容する弛み収容部を備えることを特徴とするガスコンロ用鍋底温度センサ。
【請求項２】
前記支持パイプは、前記リード線の弛み部より後端側を該支持パイプに固定する固定部を備えることを特徴とする請求項１記載のガスコンロ用鍋底温度センサ。
【請求項３】
前記リード線の弛み部は、螺旋バネ状にカール巻きして形成されていることを特徴とする請求項１又は２記載のガスコンロ用鍋底温度センサ。
【発明の詳細な説明】
【技術分野】
【０００１】
本発明は、調理容器の底面に当接して調理容器の温度を検出するガスコンロ用の鍋底温度センサに関する。
【背景技術】
【０００２】
従来、ガスコンロ用の鍋底温度センサは、環状のコンロバーナで囲われるバーナ内方空間に立設した支持パイプと、支持パイプの先端部に上下動自在に支持された感熱ヘッドとを備えている。感熱ヘッドは、付勢手段によって支持パイプに対して上方に付勢されており、内部に感熱素子を備えている。そして、コンロバーナで加熱される調理容器の底面に感熱ヘッドを当接させて、調理容器の温度を検出するように構成されている。
【０００３】
支持パイプは、上下方向に延設され、その内部には、感熱素子に先端が接続されたリード線が挿通されている。また、支持パイプの下端からは、支持パイプの内部を通したリード線の後端側がコンロ本体内部に引き出されている。（例えば、特許文献１参照）。
【先行技術文献】
【特許文献】
【０００４】
【特許文献１】特開平１０−１６０５８９号公報
【発明の概要】
【発明が解決しようとする課題】
【０００５】
上記従来の構成では、感熱ヘッドが上下動すると、これに追従してリード線も支持パイプ内を移動して支持パイプの後端から延出した部分がコンロ本体内部において進退する。ここで、一般にリード線の後端には、コントローラから引き出された入力用の信号線等に接続するための中継用のコネクタが取り付けられており、感熱ヘッドが上下動に伴うリード線の進退動により、コネクタもコンロ本体内部を移動する。その際、コンロ本体内部の他のリード線やコンロ本体内部の部品等に、前記コネクタが引っ掛かると、感熱ヘッドが上下動が阻害されて、感熱ヘッドの調理容器の底面への当接が不十分となり、温度の検出が精度良く行えないおそれがある。
【０００６】
また、上記従来の構成では、バーナ内方空間に落下した煮こぼれ汁が支持パイプを伝ってその後端から引き出されたリード線に付着することがある。そして、煮こぼれ汁が支持パイプの下端の縁部とリード線との間で固まってしまうこともあり、この場合にも、リード線が動き難くなって感熱ヘッドの上下動が阻害されるおそれがある。
【０００７】
上記の点に鑑み、本発明は、感熱ヘッドの円滑な動きを確保して調理容器の温度を精度良く検出することができるガスコンロ用鍋底温度センサを提供することを目的とする。
【課題を解決するための手段】
【０００８】
上記目的を達成するために、本発明は、環状のコンロバーナで囲われるバーナ内方空間に立設した支持パイプと、該支持パイプの先端部に上下動自在に支持された感熱ヘッドと、該感熱ヘッドを上方に付勢する付勢手段と、前記感熱ヘッドの内部に取り付けられた感熱素子と、該感熱素子に先端が接続されて後端が前記支持パイプを通して該支持パイプの後端から引き出されるリード線とを備え、前記コンロバーナで加熱される調理容器の底面に前記感熱ヘッドを当接させて、調理容器の温度を検出する鍋底温度センサにおいて、前記リード線は、その一部に、少なくとも前記感熱ヘッドの移動を許容する弛み部を備え、前記支持パイプは、前記リード線の弛み部を収容する弛み収容部を備えることを特徴とする。
【０００９】
本発明によれば、例えば、リード線の後端に設けられたコネクタ等の引っ掛かりやリード線への煮こぼれ汁の付着等が生じて、前記リード線が支持パイプの後端から引き出された部分でその進退動を阻害されても、支持パイプの前記弛み収容部に収容されたリード線の前記弛み部が前記感熱ヘッドの移動を許容することにより、感熱ヘッドの円滑な動きが確保される。従って、円滑に上下動する感熱ヘッドに対して付勢手段による付勢を確実に作用させることができ、感熱ヘッドを調理容器の底面に確実に当接させることができるので、調理容器の温度を精度良く検出することができる。
【００１０】
更に、本発明においては、前記リード線の弛み部より後端側を該支持パイプに固定する固定部を支持パイプに設けることができる。これによれば、固定部より後端側のリード線が感熱ヘッドに伴って進退移動することがなく、例えば、感熱ヘッドの上下動の際にコンロ本体内部の部品等への前記リード線の摺接移動や引っ掛かりを防止することができ、リード線の損傷を防止して耐久性を向上させることができる。
【００１１】
また、本発明における前記リード線の弛み部は、螺旋バネ状にカール巻きして形成されていることが好ましい。これによれば、リード線は、螺旋バネ状にカール巻きされた弛み部の全長にわたる略均一な伸縮により感熱ヘッドの上下動に円滑に追従するので、リード線への負担が軽減され、高い耐久性を得ることができる。
【図面の簡単な説明】
【００１２】
【図１】本発明の一実施形態の鍋底温度センサを備えるガスコンロの要部を示す説明的断面図。
【図２】本実施形態における鍋底温度センサの感熱ヘッドを下動させた状態の説明的断面図。
【発明を実施するための形態】
【００１３】
本発明の一実施形態を図面に基づいて説明する。図１に示すように、鍋底温度センサ１は、コンロバーナ２に設けられている。コンロバーナ２は、ガスコンロのコンロ本体（図示せず）に設けられている。
【００１４】
コンロバーナ２は、混合ガスが供給される混合管３と、混合管３に連設された環状のバーナボディ４と、バーナボディ４上に載置された環状のバーナヘッド５と、バーナヘッド５の上部に取り付けられた環状のバーナキャップ６とを備えている。
【００１５】
バーナボディ４はコンロ本体内部に支持され、バーナヘッド５及びバーナキャップ６はコンロ本体の上部を閉塞する天板７に形成されたバーナ用開口８から露出している。バーナ用開口８とコンロバーナ２との間に形成される空隙は、環状の閉塞板９により閉塞されている。閉塞板９の外側の天板７上には、コンロバーナ２に向って複数の爪を延ばした形状の五徳１０（爪の先端部のみ図示する）が載置されている。そして、五徳１０に調理容器を載置し、コンロバーナ２の炎で調理容器を加熱することで調理が行われる。
【００１６】
バーナボディ４は、板金製であって、内筒１１と外筒１２とを備えている。外筒１２の上端には、バーナヘッド５の外周部が着座する着座部１３が形成されている。着座部１３の外周には筒状に垂下するバーナ外周壁１４が形成され、バーナ外周壁１４の外側に前記閉塞板９が装着されてコンロ本体内部への煮こぼれ汁や塵埃等の異物侵入が防止されている。
【００１７】
バーナヘッド５の外周部下面には、複数の溝が歯形状に形成されており、バーナボディ４の着座部１３にバーナヘッド５を着座せることにより、外向きに開口する多数の炎孔１５が形成される。
【００１８】
バーナヘッド５の上面には複数の支持突起１６が形成されており、各支持突起１６によって環状の線バネ１７が支持されている。バーナキャップ６は、その下面に支持突起１６に対応する複数の係止爪１８を備えている。そして、バーナキャップ６は、係止爪１８が線バネ１７に係止されることにより、バーナヘッド５の上部に強固に取り付けられる。
【００１９】
鍋底温度センサ１は、図２に示すように、五徳１０に載置される調理容器の底面Ｗ（図２において仮想線で示す）に当接してその温度を検出するものである。図１に示すように、鍋底温度センサ１は、コンロバーナ２で囲われるバーナ内方空間Ｓに立設した支持パイプ１９と、支持パイプ１９の先端部である上端に設けた感熱ヘッド２０とで構成される。支持パイプ１９は、コンロ本体の内部においてコンロバーナ２の一部を支持しているバーナ支持部材２１ａに取付けたブラケット２１ｂにより固定されている。
【００２０】
感熱ヘッド２０は、五徳１０の上縁より上方に突出しており、調理容器の底面Ｗに当接させる集熱板２２と、集熱板２２で上端が閉塞された内筒２３と、内筒２３を囲う遮熱用の外筒２４とを備えている。集熱板２２の下面には、集熱板２２を介して調理容器の温度を検出するサーミスタ等の感熱素子２５が取付けられている。
【００２１】
また、内筒２３は、支持パイプ１９の上端に鍔状に設けられたバネ受け２６に摺動自在に外嵌されている。バネ受け２６と集熱板２２との間には、バネ２７（付勢手段）が介設されている。感熱ヘッド２０は、バネ２７により支持パイプ１９に対し上方に付勢されている。これにより、調理容器を五徳１０に載置するとき、調理容器の底面Ｗが五徳１０に当接するのに先立って感熱ヘッド２０に当接し、図２に示すように、調理容器から受ける荷重によって感熱ヘッド２０がバネ２７の付勢力に抗して押し下げられる。こうして、調理容器が五徳１０に載置されたときには、感熱ヘッド２０の集熱板２２がバネ２７の付勢力によって調理容器の底面Ｗに圧接する。
【００２２】
また、図１に示すように、感熱素子２５からはリード線２８が延出されている。リード線２８は、支持パイプ１９に挿通され、支持パイプ１９の後端からコンロ本体内部に延出している。リード線２８の後端は、コンロ本体内部に設けられたコントローラ（図示せず）から延びる信号入力線２９にコネクタ３０を介して接続されている。コントローラは、鍋底温度センサ１の検出温度に基づいてコンロバーナ２の制御を行う。
【００２３】
リード線２８には、その一部を螺旋バネ状にカール巻きして形成した弛み部３１が設けられている。リード線２８の一部に弛み部３１を設けたことにより、リード線２８の長さ方向に張力が付与されたときに弛み部３１が伸長し、リード線２８の長さ方向に圧縮力が付与されたときに弛み部３１が収縮する。弛み部３１が螺旋バネ状に形成されていることにより、弛み部３１の全長にわたり略均一に伸縮動作が得られる。なお、図１と図２とに示すように、弛み部３１は、その伸縮により変化する寸法範囲が、少なくとも感熱ヘッド２０の上下動を許容する範囲に設定されている。
【００２４】
一方、支持パイプ１９には、リード線２８の弛み部３１を収容する弛み収容部３２が一体的に設けられている。弛み収容部３２は、支持パイプ１９の他部より大径の筒状空間を形成しており、リード線２８の弛み部３１の外周に空隙を存した状態で弛み部３１を収容する。これにより、弛み部３１の伸縮動作が阻害されないようになっている。
【００２５】
弛み収容部３２には、その後端を閉塞する閉塞部材３３が設けられている。閉塞部材３３は、弛み部３１の後端側に延びるリード線２８が貫通すると共に、この貫通部分においてリード線２８を固定保持している。よって、閉塞部材３３は、リード線２８の弛み部３１より後端側を支持パイプ１９に固定する本発明の固定部として機能する。
【００２６】
以上の構成による鍋底温度センサ１は、図２に示すように、調理容器の荷重に押されて感熱ヘッド２０が下動すると、それに伴って支持パイプ１９内のリード線２８も下動する。しかし、この下動は弛み部３１までの動きであり、支持パイプ１９の外側に引き出されているリード線２８は、閉塞部材３３により支持パイプ１９（弛み収容部３２の後端）に固定されているから、進退動等の動きが生じない。一方、弛み収容部３２の内部の弛み部３１は、感熱ヘッド２０の下動に追従して収縮するので、感熱ヘッド２０は円滑に下動する。
【００２７】
また、五徳１０上から調理容器が取り除かれたことにより調理容器からの押圧が解除された感熱ヘッド２０は、図１に示すように、バネ２７の付勢により上動し、それに伴って支持パイプ１９内のリード線２８も上動する。このとき、閉塞部材３３の固定により支持パイプ１９の外側に引き出されているリード線２８は動かないが、弛み収容部３２の内部の弛み部３１が伸長することにより、感熱ヘッド２０は円滑に上動する。
【００２８】
このように、リード線２８に弛み部３１を設けて支持パイプ１９の弛み収容部３２に収容したことにより、支持パイプ１９の外側に引き出されているリード線２８を進退動作させることなく、感熱ヘッド２０の円滑な動きを確保することができる。
【００２９】
また、閉塞部材３３によりその後端側のリード線２８を進退動作させないことにより、感熱ヘッド２０の上下動の際にコンロ本体内部の部品等へのリード線２８の摺接移動やコネクタ３０の引っ掛かり等を防止することができ、リード線２８の損傷を防止することができる。
【００３０】
更に、万一、煮こぼれ汁が支持パイプ１９を伝ってリード線２８に付着して支持パイプ１９の後端（弛み収容部３２の後端）とリード線２８とを固着させてしまっても、弛み収容部３２の内部に収容された弛み部３１は全く支障なく伸縮し、感熱ヘッド２０の上下動を円滑に行わせることができる。
【００３１】
なお、本実施形態においては、弛み部３１よりも後端側のリード線２８を、閉塞部材３３により支持パイプ１９（弛み収容部３２の後端）に固定したものを示したが、閉塞部材３３は、弛み収容部３２からの弛み部３１の抜け出しを規制していれば、その後端側のリード線２８を固定していなくてもよい。この場合には、感熱ヘッド２０の上下動に伴い、リード線２８の後端側が多少進退するが、その際に、万一、リード線２８のコネクタ３０の引っ掛かりやリード線２８に付着した煮こぼれ汁の固化が生じてリード線２８の進退動が阻害されても、弛み収容部３２の内部に収容された弛み部３１は全く支障なく伸縮するので、感熱ヘッド２０においては円滑な上下動を確保することができる。
【００３２】
また、本実施形態においては、バーナ内方空間Ｓにおいて支持パイプ１９及び弛み収容部３２が鉛直方向に延びる鍋底温度センサ１を挙げたが、それ以外に、図示しないが、バーナボディ４の下方で支持パイプ１９を水平方向に屈曲させ、この支持パイプ１９の後端に弛み収容部３２を設けて内部にリード線２８の弛み部３１を収容しても本実施形態と同様の効果を得ることができる。
【００３３】
また、本実施形態においては、弛み収容部３２の後端に閉塞部材３３を設けてリード線２８の弛み部３１の収容空間を設けた例を示したが、支持パイプ１９の外側に引き出されているリード線２８の進退動を所望により許容する場合には、閉塞部材３３を設けなくてもよい。この場合には、例えば、組立て作業やメンテナンス等に際して作業者によりリード線２８の後端側が引っ張られても、リード線２８が備える弛み部３１が伸長して感熱ヘッド２０は下動せず、リード線２８を介して感熱素子２５に負担がかかることを防止することができる。なお、この場合にも弛み部３１が弛み収容部３２に収容されていることにより、弛み部３１への煮こぼれ汁の付着を防止することができ、弛み部３１の円滑な伸縮を確保することができる。
【００３４】
また、本実施形態においては、リード線２８の一部を螺旋バネ状にカール巻きして形成した弛み部３１を設けたことにより、弛み部３１の全長にわたり略均一に伸縮動作が得られるものを挙げたが、これ以外に、図示しないが、リード線２８の一部を波状に弛ませて弛み部としてもよい。
【符号の説明】
【００３５】
１…鍋底温度センサ、２…コンロバーナ、Ｓ…バーナ内方空間、１９…支持パイプ、２０…感熱ヘッド、２５…感熱素子、２７…バネ（付勢手段）、２８…リード線、３１…弛み部、３２…弛み収容部、３３…閉塞部材（固定部）。
【図１】
2012154572.tif 000003
【図２】
2012154572.tif 000004